(57)【要約】      （修正有）【課題】絶縁効果を維持し、安全性を高めることができる絶縁レンチの点検構造を提供する。【解決手段】絶縁レンチの点検構造は、レンチ１０と、該レンチ１０の内側に取り付けられたトルク機構２０と、レンチ１０の外表面を覆う絶縁層３０とを備える。絶縁層３０は、トルク機構２０に対応した箇所に、点検蓋３５で封止される点検口３４を有する。絶縁層３０は、二節式に分けられている。絶縁層３０の一方の節は、レンチ１０の形状に対応するように外表面に形成され、絶縁層３０の他方の節は、レンチ１０の外周を覆うように形成されている。点検口３４には、点検蓋３５が設置されて封止する。【選択図】図１
0003165961.tif 000002
【実用新案登録請求の範囲】
【請求項１】
レンチと、
前記レンチの内側に取り付けられたトルク機構と、
前記レンチの外表面を覆う絶縁層と、を備え、
前記絶縁層は、前記トルク機構に対応した箇所に、点検蓋で封止される点検口を有することを特徴とする絶縁レンチの点検構造。
【請求項２】
前記絶縁層は、二節式に分けられ、前記絶縁層の一方の節は、前記レンチの形状に対応するように外表面に形成され、前記絶縁層の他方の節は、前記レンチの外周を覆うように形成され、
前記点検口には、前記点検蓋が設置されて封止されることを特徴とする請求項１に記載の絶縁レンチの点検構造。
【請求項３】
前記点検蓋と前記点検口との継ぎ目には、絶縁性接着剤が塗布されることを特徴とする請求項１又は２に記載の絶縁レンチの点検構造。
【請求項４】
前記点検蓋は、前記点検口に係合されることを特徴とする請求項３に記載の絶縁レンチの点検構造。
【請求項５】
前記点検蓋は、前記点検口に可動可能に片持式で取り付けられ、前記点検口を覆ったり起こして開いたりすることを特徴とする請求項３に記載の絶縁レンチの点検構造。
【考案の詳細な説明】
【技術分野】
【０００１】
本考案は、ハンドツールの検査技術に関し、特に、絶縁レンチの点検構造に関する。
【背景技術】
【０００２】
初期の絶縁レンチ（例えば、特許文献１）は、安全に使用できるように、レンチの外表面が絶縁層で覆われ、人体に電気が伝わることを防いでいる。
【０００３】
ただしこの種のレンチのなかには、取り付けられているトルク機構が絶縁層で覆われ、レンチから取り外すことができないため、トルク機構が正常か否かを検査することができないものもある。そのため、トルク試験装置により検査してトルク値が異常であることが分かった絶縁レンチは、トルク値を修正することができず捨てるしかなかった。そのため、製品の不良率を下げることができず、コストの負担が増加し、市場競争力が低下した。
【０００４】
そのため、従来技術の問題点を解決することができる絶縁レンチの点検構造が求められていた。
【先行技術文献】
【特許文献】
【０００５】
【特許文献１】台湾実用新案登録第４０４，３０６号公報
【考案の概要】
【考案が解決しようとする課題】
【０００６】
本考案は、絶縁層を除去しなくとも、点検口を利用してレンチのトルク値を簡単に調整することができるため、絶縁効果を維持し、安全性を高めることができる絶縁レンチの点検構造を提供することを課題とする。
【課題を解決するための手段】
【０００７】
上記課題を解決するために、本考案の第１の形態によれば、レンチと、前記レンチの内側に取り付けられたトルク機構と、前記レンチの外表面を覆う絶縁層と、を備え、前記絶縁層は、前記トルク機構に対応した箇所に、点検蓋で封止される点検口を有することを特徴とする絶縁レンチの点検構造が提供される。
【０００８】
前記絶縁層は、二節式に分けられ、前記絶縁層の一方の節は、前記レンチの形状に対応するように外表面に形成され、前記絶縁層の他方の節は、前記レンチの外周を覆うように形成され、前記点検口には、前記点検蓋が設置されて封止されることが好ましい。
【０００９】
前記点検蓋と前記点検口との継ぎ目には、絶縁性接着剤が塗布されることが好ましい。
【００１０】
前記点検蓋は、前記点検口に係合されることが好ましい。
【００１１】
前記点検蓋は、前記点検口に可動可能に片持式で取り付けられ、前記点検口を覆ったり起こして開いたりすることが好ましい。
【考案の効果】
【００１２】
本考案の絶縁レンチの点検構造は、絶縁層を除去しなくとも、点検口を利用してレンチのトルク値を簡単に調整することができるため、絶縁効果を維持し、安全性を高めることができる。
【図面の簡単な説明】
【００１３】
【図１】本考案の第１実施形態による絶縁レンチの点検構造の絶縁レンチから点検蓋を取り外すときの状態を示す斜視図である。
【図２】本考案の第１実施形態による絶縁レンチの点検構造の点検口を点検蓋で封止したときの状態を示す部分拡大図である。
【図３】本考案の第２実施形態による絶縁レンチの点検構造の点検蓋を起こして開いたときの状態を示す斜視図である。
【考案を実施するための形態】
【００１４】
以下、本考案の絶縁レンチの点検構造の実施形態について、図面を参照しながら説明する。
【００１５】
本考案の絶縁レンチの点検構造は、レンチと、レンチの内側に取り付けられたトルク機構と、レンチの外表面を覆う絶縁層と、を有する。絶縁層は、トルク機構に対応した箇所に、点検蓋で封止される点検口を有する。
【００１６】
絶縁レンチは、トルク試験装置によりトルク値に誤差が生じたことが分かったとき、点検蓋を取り外し、点検口から工具を挿入し、トルク機構に対して修正作業を行ってから、点検口を点検蓋で封止することができる。このように、メンテナンスを非常に迅速かつ簡便に行い、レンチのトルク値を正常に維持することができる。
【００１７】
絶縁層は、形状に応じてレンチの外表面に一体成形させたり、複数の節に分けたりしてもよい。例えば、絶縁層は二節式に分けられ、一方の節は、レンチの外表面に形成され、他方の節は、レンチの外周を覆うように形成されてもよい。点検口には、点検蓋が設置されて封止される。点検蓋と点検口との継ぎ目には、絶縁性接着剤が塗布される。これにより、漏電が発生することを防ぎ、絶縁性を維持して安全性を高めることができる。
【００１８】
点検口を封止する技術には様々な方式がある。例えば、点検蓋を点検口に係合させたり、点検口に可動可能に片持式で取り付け、点検口を覆ったり起こして開いたりすることができるようにしてもよい。
【００１９】
（第１実施形態）
図１及び図２を参照する。図１及び図２に示すように、本考案の第１実施形態による絶縁レンチの点検構造のレンチ１０は、トルク機構２０が内側に配置され、絶縁層３０により外表面が覆われている。
【００２０】
レンチ１０は、環状のハウジング１１と支持部１２との組合せからなる。ハウジング１１の下方には、多角形状の挿入部１４が突設され、その上方に絶縁性の方向転換つまみ１３が取り付けられている。方向転換つまみ１３の操作により、挿入部１４が一方向のみにしか制動しなくなるとともに、反対方向に空転するようにすることができる。また方向転換つまみ１３を押圧すると、スリーブ（図示せず）との係合作用を解除させることができる。支持部１２は、内部にトルク機構２０を収納する中空状に形成され、ハウジング１１の外周に一方の端部が接続され、トルク機構２０がトルク値を調整することができるように、調整スイッチ２１が他方の端部に螺着されている。
【００２１】
図１及び図２に示すように、第１実施形態の絶縁層３０は、二節式であり、第１の絶縁層３１は、レンチ１０の形状に応じてハウジング１１の外側を覆い、挿入部１４の延伸方向で僅かに延伸されているが、挿入部１４にスリーブ（図示せず）を嵌合させる作業を妨げたり、方向転換つまみ１３の操作を妨げたりしないとともに、支持部１２の一部を覆う。第２の絶縁層３２は、支持部１２以外の箇所を覆い、トルク機構２０に対応した箇所にウィンドウ部３３及び点検口３４が設けられている。点検口３４の周囲壁面に点検蓋３５を係合させ、点検蓋３５と点検口３４との継ぎ目に絶縁性接着剤３６を塗布し、漏電が発生することを防いで絶縁効果を得ることにより、安全性を高めることができる。点検蓋３５と点検口３４との継ぎ目に絶縁性接着剤３６を塗布することにより、漏電が発生することを防いで絶縁効果を得て、安全性を高めることができる。
【００２２】
レンチ１０は、トルク値の試験に合格したものが出荷されるが、長期間使用すると数値に誤差が生じる虞がある。この際、第２の絶縁層３２の点検蓋３５を開けると、点検口３４を利用し、工具４０によりトルク機構２０の調整作業を行った後、継ぎ目に絶縁性接着剤３６を塗布して点検蓋３５を係止し、点検口３４を再び封止することができる。
【００２３】
（第２実施形態）
図３を参照する。図３に示すように、本考案の第２実施形態による絶縁レンチの点検蓋３５が点検口３４の側部の壁面に、可動可能に片持式（例えば、ヒンジを利用した枢着構造）で取り付けられているため、点検口３４を点検蓋３５で覆って容易に起こして開くことができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１０…レンチ、
１１…ハウジング、
１２…支持部、
１３…方向転換つまみ、
１４…挿入部、
２０…トルク機構、
２１…調整スイッチ、
３０…絶縁層、
３１…第１の絶縁層、
３２…第２の絶縁層、
３３…ウィンドウ部、
３４…点検口、
３５…点検蓋、
３６…絶縁性接着剤、
４０…工具。
【図１】
0003165961.tif 000003
【図２】
0003165961.tif 000004
【図３】
0003165961.tif 000005